(57)【要約】【課題】手持ち式電気器具のための加熱器の提供。【解決手段】加熱器は、第１の層と、第２の層と、該加熱器の第１の層及び第２の層を分離するためのセパレータとを備え、セパレータは管体である。第１の層及び／又は第２の層はワイヤ要素とすることができる。第１の層は、管体の周りに及び／又は管体に沿って少なくとも部分的に延びることができる。管体は、該管体の沿って延びると共に該管体の半径方向外向きに延びる、第１の層を支持するためのスペーサを備えることができる。外側管体を備えることができ、外側管体は、少なくとも第１の層の周りでこれに沿って延びる。外側管体は、管体の周りに延びると共に該管体に沿って延びることができる。第２の層を支持するための内側支持構造体を備えることができる。内側支持構造体は、内側管体又は支持ウイングを備えることができ、第２の層は、内側管体又は支持ウイングの少なくとも一部に沿って延びることができる。【選択図】図２
2015020070.tif 000002
【特許請求の範囲】
【請求項１】
第１の層と、第２の層と、前記第１の層及び前記第２の層を分離するためのセパレータとを備え、前記セパレータが管体であることを特徴とする手持ち式電気器具のための加熱器。
【請求項２】
前記第１の層は、ワイヤ要素である、請求項に記載の加熱器。
【請求項３】
前記第２の層は、ワイヤ要素である、請求項１又は２に記載の加熱器。
【請求項４】
前記第１の層は、前記管体の周りに少なくとも部分的に延びる、請求項１から３のいずれか１項に記載の加熱器。
【請求項５】
第１の層と、第２の層と、前記第１の層及び前記第２の層を分離するためのセパレータとを備え、前記セパレータが管体であり、前記第１の層は、前記管体の周りに少なくとも部分的に延びることを特徴とする手持ち式電気器具のための加熱器。
【請求項６】
前記第１の層は、前記管体に沿って少なくとも部分的に延びる、請求項１から５のいずれか１項に記載の加熱器。
【請求項７】
第１の層と、第２の層と、前記第１の層及び前記第２の層を分離するためのセパレータとを備え、前記セパレータが管体であり、前記第１の層は、前記管体に沿って少なくとも部分的に延びることを特徴とする手持ち式電気器具のための加熱器。
【請求項８】
加熱器は、第１の層及び第２の層を有するダブルスタック式加熱器である、請求項１から７のいずれか１項に記載の加熱器。
【請求項９】
第１の層と、第２の層と、前記第１の層及び前記第２の層を分離するためのセパレータとを備え、前記セパレータが管体であり、ダブルスタック式加熱器であることを特徴とする手持ち式電気器具のための加熱器。
【請求項１０】
前記管体は、該管体に沿って延びると共に該管体から半径方向外向きに延び、第１の層を支持するためのスペーサを備える、請求項１から９のいずれか１項に記載の加熱器。
【請求項１１】
前記スペーサは、前記管体から直交方向外向きに延びる、請求項１０に記載の加熱器。
【請求項１２】
前記スペーサは、挿入凹部を含む、請求項１０又は１１に記載の加熱器。
【請求項１３】
前記挿入凹部の各々は、前記スペーサの長さ方向に沿って実質的に均一に離間する、請求項１２に記載の加熱器。
【請求項１４】
ワイヤ要素が、前記挿入凹部に位置付けられている、請求項１２又は１３に記載の加熱器。
【請求項１５】
外側管体を備え、該外側管体は、少なくとも前記第１の層の周りに延びると共に該第１の層に沿って延びている、請求項１から１４のいずれか１項に記載の加熱器。
【請求項１６】
前記外側管体は、前記管体の周りに延びると共に該管体に沿って延びる、請求項１５に記載の加熱器。
【請求項１７】
前記第２の層を支持するための内側支持構造体を備える、請求項１から１６のいずれか１項に記載の加熱器。
【請求項１８】
前記内側支持構造体は、内側管体を備える、請求項１７に記載の加熱器。
【請求項１９】
第１の層と、第２の層と、前記第１の層及び前記第２の層を分離するためのセパレータと、前記第２の層を支持するための内側支持構造体とを備え、前記セパレータが管体であり、前記内側支持構造体が内側管体を備えることを特徴とする手持ち式電気器具のための加熱器。
【請求項２０】
前記管体は、前記内側管体の周りに延びると共に、前記内側管体に沿って少なくとも部分的に延びる、請求項１８又は１９に記載の加熱器。
【請求項２１】
前記管体は、前記内側管体の周りに延びると共に、前記内側管体に沿って延びる、請求項１８から２０のいずれか１項に記載の加熱器。
【請求項２２】
前記第２の層は、前記内側管体の周りに少なくとも部分的に延びる、請求項１８から２１のいずれか１項に記載の加熱器。
【請求項２３】
前記第２の層は、前記内側管体に沿って少なくとも部分的に延びる、請求項１８から２２のいずれか１項に記載の加熱器。
【請求項２４】
前記内側管体は、前記第２の層を支持するための、前記管体の沿って延びると共に該管体から半径方向外向きに延びる内側スペーサを備える、請求項１８から２３のいずれか１項に記載の加熱器。
【請求項２５】
前記内側管体が前記管体内に挿入される場合、前記内側スペーサは、前記管体内での前記内側管体の位置を維持する、請求項２４に記載の加熱器。
【請求項２６】
前記内側スペーサは、前記内側管体から直交方向外向きに延びる、請求項２４又は２５に記載の加熱器。
【請求項２７】
前記内側スペーサは、挿入凹部を含む、請求項２４から２６のいずれか１項に記載の加熱器。
【請求項２８】
前記挿入凹部の各々は、前記内側スペーサの長さ方向に沿って実質的に均一に離間する、請求項２７に記載の加熱器。
【請求項２９】
ワイヤ要素が、前記挿入凹部に位置付けられる、請求項２７又は２８に記載の加熱器。
【請求項３０】
前記内側管体が前記管体内に挿入される場合、前記ワイヤ要素は、前記挿入凹部の部位で固定される、請求項２９に記載の加熱器。
【請求項３１】
前記内側支持構造体は、支持ウイングを備える、請求項１７に記載の加熱器。
【請求項３２】
前記内側支持構造体が前記管体内に挿入される場合、前記支持ウイングは、前記管体内での前記内側支持構造体の位置を維持する、請求項３１に記載の加熱器。
【請求項３３】
前記支持ウイングは、前記管体の長さ方向に沿って少なくとも部分的に延びる、請求項３１又は３２に記載の加熱器。
【請求項３４】
前記支持ウイングは、前記管体に向かって半径方向に延びる延長部を含む、請求項３１から３３のいずれか１項に記載の加熱器。
【請求項３５】
前記第２の層は、前記延長部で支持される、請求項３４に記載の加熱器。
【請求項３６】
前記延長部は、前記第２の層を支持するための挿入凹部を含む、請求項３５に記載の加熱器。
【請求項３７】
前記挿入凹部は、前記延長部の長さ方向に沿って実質的に均一に離間する、請求項３６に記載の加熱器。
【請求項３８】
前記第２の層はワイヤ要素であり、前記ワイヤ要素は前記挿入凹部に位置付けられる、請求項３６又は３７に記載の加熱器。
【請求項３９】
前記内側支持構造体が前記管体に挿入される場合、前記ワイヤ要素は、前記挿入凹部の部位に固定される、請求項３８に記載の加熱器。
【請求項４０】
前記セパレータは、絶縁材で作られている、請求項１から３９のいずれか１項に記載の加熱器。
【請求項４１】
前記セパレータは、マイカで形成されている、請求項４０に記載の加熱器。
【請求項４２】
前記第１の層及び前記第２の層は、異なるワイヤ要素で形成されている、請求項３に記載の加熱器。
【請求項４３】
請求項１から４２のいずれか１項に記載の加熱器を備えたヘアケア用電気器具。
【請求項４４】
請求項１から４３のいずれか１項に記載の加熱器を備えたヘアドライヤ。
【請求項４５】
請求項１から３０のいずれか１項に記載の加熱器を備えたヘアドライヤ。
【請求項４６】
請求項１から４５のいずれか１項に記載の加熱器を備えた温風整髪用ブラシ。
【請求項４７】
請求項３１から４２のいずれか１項に記載の加熱器を備えた温風整髪用ブラシ。
【発明の詳細な説明】
【技術分野】
【０００１】
本発明は、ヘアドライヤ等の手持ち式電気器具又は整髪用ブラシ等の他の整髪用電気器具のための加熱器に関する。
【発明の概要】
【課題を解決するための手段】
【０００２】
第１の態様によれば、本発明は、手持ち式電気器具のための加熱器を提供し、加熱器は、第１の層、第２の層、及び加熱器の第１の層と第２の層を分離するセパレータを備え、セパレータは管体である。
【０００３】
好ましくは、第１の層はワイヤ要素である。好ましくは、第２の層はワイヤ要素である。
【０００４】
第１の層は、管体の周りに少なくとも部分的に延びることが好ましい。好ましくは、第１の層は、管体に沿って少なくとも部分的に延びる。
【０００５】
管体は、該管体に沿って延びると共に該管体から半径方向外向きに延び、第１の層を支持するためのスペーサを備えることが好ましい。好ましくは、スペーサは、該管体から直交方向外向きに延びることが好ましい。スペーサは挿入凹部を含むことが好ましい。好ましくは、挿入凹部は、スペーサの長さ方向に沿って実質的に均一に離間する。ワイヤ要素は挿入凹部に位置付けられることが好ましい。
【０００６】
好ましくは、加熱器は外側管体を備え、外側管体は第１の層の周りに及びこれに沿って延びる。外側管体は、管体の周りに及びこれに沿って延びることが好ましい。
【０００７】
また、手持ち式電気器具のための加熱器が設けられ、加熱器は、第１の層、第２の層、及び加熱器の第１の層と第２の層を分離するセパレータを備え、セパレータは管体であり、第１の層は、管体の周りを少なくとも部分的に延びる。
【０００８】
また、手持ち式電気器具のための加熱器が設けられ、加熱器は、第１の層、第２の層、及び加熱器の第１の層と第２の層を分離するセパレータを備え、セパレータは管体であり、第１の層は、管体に沿って少なくとも部分的に延びる。
【０００９】
加熱器は、好ましくは、第１の層及び第２の層を有するダブルスタック式加熱器である。
【００１０】
また、手持ち式電気器具のための加熱器が設けられ、加熱器は、第１の層、第２の層、及び加熱器の第１の層と第２の層を分離するセパレータを備え、セパレータは管体であり、加熱器はダブルスタック式加熱器である。
【００１１】
好ましくは、加熱器は、第２の層を支持するための内側支持構造体を備える。内側支持構造体は、内側管体を備えることが好ましい。
【００１２】
また、手持ち式電気器具のための加熱器が設けられ、加熱器は、第１の層、第２の層、及び加熱器の第１の層と第２の層を分離するセパレータと、第２の層を支持するための内側支持構造体とを備え、セパレータが管体であり、内側支持構造体が内側管体を備える。
【００１３】
好ましくは、管体は、内側管体の周りに延びると共に、内側管体に沿って少なくとも部分的に延びる。管体は、内側管体の周りに延びると共に、内側管体に沿って延びることが好ましい。好ましくは、第２の層は、内側管体の周りに少なくとも部分的に延びる。第２の層は、内側管体に沿って少なくとも部分的に延びることが好ましい。
【００１４】
好ましくは、内側管体は、第２の層を支持するための、管体の沿って延びると共に該管体から半径方向外向きに延びる内側スペーサを備える。
【００１５】
好ましくは、内側管体が管体内に挿入される場合、内側スペーサは、管体内での内側管体の位置を維持する。
【００１６】
好ましくは、内側スペーサは、内側管体から直交方向外向きに延びる。内側スペーサは、挿入凹部を含むことが好ましい。好ましくは、挿入凹部の各々は、内側スペーサの長さ方向に沿って実質的に均一に離間する。ワイヤ要素が、挿入凹部に位置付けられることが好ましい。
【００１７】
好ましくは、内側管体が管体内に挿入される場合、ワイヤ要素は、挿入凹部の部位で固定される。
【００１８】
もしくは、内側支持構造体は支持ウイングを備える。好ましくは、内側支持構造体が管体内に挿入される場合、支持ウイングは、管体内での内側支持構造体の位置を維持する。支持ウイングは、前記管体の長さ方向に沿って少なくとも部分的に延びる。
【００１９】
好ましくは、支持ウイングは、管体に向かって半径方向に延びる延長部を含む。
【００２０】
好ましくは、支持ウイングは、略三角形状をなす。
【００２１】
好ましくは、支持ウイングは、略三角形状の頂点から半径方向に延びる延長部を含む。好ましくは、延長部はＹ形をなす。好ましくは、第２の層は延長部で支持される。
【００２２】
延長部は、前記第２の層を支持するための挿入凹部を含むことが好ましい。好ましくは、挿入凹部は、延長部の長さ方向に沿って実質的に均一に離間する。
【００２３】
第２の層はワイヤ要素であり、前記ワイヤ要素は前記挿入凹部に位置付けられることが好ましい。
【００２４】
好ましくは、内側支持構造体が管体に挿入される場合、ワイヤ要素は、挿入凹部の部位に固定される。
【００２５】
３つの成形部品から略三角形状が形作られることが好ましく、各頂点は２つ又は３つの成形部品で形成される。
【００２６】
好ましくは、セパレータは、絶縁材で作られている。セパレータは、マイカで形成されていることが好ましい。
【００２７】
好ましくは、第１の層及び前記第２の層は、異なるワイヤ要素で形成されている。
【００２８】
本発明による加熱器を備えるヘアドライヤ又は温風整髪用ブラシといったヘアケア用電気器具が提供される。
【００２９】
本発明は、添付図面を参照して以下に例示的に説明される。
【図面の簡単な説明】
【００３０】
【図１】本発明による加熱器の分解組立図を示す。
【図２】図１の加熱器を通る断面図を示す。
【図３】図１の加熱器を通る他の断面図を示す。
【図４】加熱器の第１の層の斜視図を示す。
【図５】図１の加熱器の第２の層の一部を詳細に示す。
【図６】加熱器の第２の層の斜視図を示す。
【図７】図１から図６の加熱器を使用した電気器具を示す。
【図８】本発明の別の加熱器を通る断面図を示す。
【図９】別の加熱器の斜視図を示す。
【図１０】別の加熱器の分解組立図を示す。
【図１１】別の加熱器の別の分解組立図を示す。
【図１２】図８から図１１の加熱器を使用した電気器具を示す。
【発明を実施するための形態】
【００３１】
図１から図５を参照すると、加熱器１０は、第１の層１００及び第２の層２００を有する。第１の層１００は管体１１０を含み、管体１１０は半径方向外向きに延びる複数のスペーサ１１２を有する。スペーサ１１２は、加熱要素１２０が位置付けられる挿入凹部１１４を含む。
【００３２】
加熱要素１２０は、ニクロム等の適切な材料で作られたワイヤであり、ジグザグ又は波状に成形された後に管体１１０の周りに巻付けられる。スペーサ１１２は、管体１１０の周りに巻き付けられた加熱要素１２０を支持し、挿入凹部１１４は、加熱要素１２０の個々のコイル１２２を互いに離れた状態のままにする。挿入凹部１１４は、加熱要素の異なるコイル１２２の間の間隔を維持して、ホットスポットの可能性、及び空気流又は流体流が加熱器を通るのを制限する可能性を低減する。
【００３３】
管体１１０及びスペーサ１１２は、マイカ等の絶縁材で形成される。
【００３４】
第１の層１００及び管体１１０の内部には第２の層２００がある。第２の層２００は、ジグザグ又は波状に成形されたワイヤであり、支持構造体２５０上に巻き付けられた第２の加熱要素２２０を含む。本実施形態において、支持構造体２５０は、三角支持体であり、幾何学的には三角柱に類似している。しかしながら、四角又は十字形状の支持体等の他の形状を用いることができる。
【００３５】
支持構造体２５０は、マイカ等の絶縁材の３つの矩形部品及び一対の端部クランプ２７０から形成される。端部クランプ２７０は、各矩形部品の１つの長辺２６０ａが真っ直ぐで三角形の頂点を形成するように３つの矩形部品２６０を保持する。この三角形はフレームを形成し、フレームの周りにワイヤ要素２２０が巻き付けられる。
【００３６】
端部クランプ２７０は、端部タブ２７２を有する金属成形部品で形成され、端部タブ２７２は、矩形部品２６０の各側面上に折り重なり、これを所定位置に保持する。
【００３７】
矩形部品２６０は、開口２６４を有する突出部の長さ方向に沿って延びる挿入スロット２６２を有する。各スロットは、矩形部品２６０の各々の真っ直ぐな長辺２６０ａの長さ方向に沿って設けられる。ワイヤ要素２２０は、矩形部品２６０の周りに巻き付けられ、挿入凹部２６２内に位置付けられる。従って、矩形部品２６０は、加熱要素２００の長さに沿った及びその周りでのワイヤ要素２２０のための支持体を提供する。
【００３８】
図６は、異なる支持構造体３５０を有する別の第２の加熱層３００を示す。本実施例において、支持構造体３５０は、Ｙ形に形作られた絶縁シート３５２で形成される。絶縁シート３５２の各端部には三角支持クリップ３６０が設けられており、絶縁シートの角度分離を維持するようになっている。挿入凹部３５４は、絶縁シート３５２の各々の長さ方向に沿って配置され、ワイヤ要素３２０を受け入れるようになっている。好ましくは、絶縁シートはマイカから形成される。
【００３９】
従来の加熱器において、三角支持体を使用することは問題がある。三角支持体は、十字形支持体よりもさらにコンパクトな加熱要素を可能にするが、ワイヤ要素の各支持位置の間の比較的大きな間隔はワイヤ要素２２０、３２０の張力の低下を引き起こし、ワイヤ要素２２０、３２０が挿入凹部から隣の凹部に移動する可能性があるというリスクの増大につながる。このことは、ホットスポットをもたらし、加熱要素の早期故障が生じる可能性があるので望ましくない。三角支持体２５０、３５０を有する実施形態において、第２の層を取り囲む第１の層１００の構造によって三角支持体を用いる利点が維持される。三角支持される要素２２０、３２０は第１の層１００内に収容され、管体１１０は、第２の加熱要素２００、３００を取り囲み、第２のワイヤ要素２２０、３２０の長手方向の移動を阻止する。
【００４０】
第１の層１００の外側の周りには外側管体１５０が設けられている。この外側管体１５０は随意的であり、加熱器１０及び加熱器１０を囲む何らかのものに関する絶縁層をもたらす。加熱器１０の外面を絶縁することに加えて、外側管体１５０は、第１のワイヤ要素１２０の挿入凹部１１４に対する個々のコイル１２２の長手方向の移動を阻止する。
【００４１】
図７は、加熱器１０を組み込んだ温風整髪用ブラシ２０を示す。温風整髪用ブラシ２０は、本体２２及び整髪用ヘッド２４を有する。本体２２の一端には、ファンユニット２６の作用によって流体を電気器具に引き込むための入口３０が設けられている。次に、流体は、ヘッド２４に流入する前に加熱器１０によって加熱される。
【００４２】
ヘッド２４は、複数の半径方向に離間したスロット３２を含み、該スロットは、ヘッド２４に沿って長手方向に延びている。隣接する対のスロット３２の間には、一連のブラシの毛３４があり、整髪行為の間に、高温流体が毛髪を通り抜ける流れる間に毛髪にブラシをかけ、毛髪を乾燥させて整髪を行う。
【００４３】
電力はケーブル２８から供給され、本実施例ではケーブル２８は入口３０から温風整髪用ブラシ２０に入る。内部配線（図示せず）により、電力を加熱器１０及びファンユニット２６に供給してファンユニット２６のインペラを駆動するモータを回転させる。
【００４４】
本体２２は、概して入口３０から延びるハンドル部３６を含む。本体２２は略円形の流体流路３８を含み、入口３０から本体２２に沿って加熱器１０を通ってヘッド２４に至る。加熱器１０は、第１の層１００及び第２の層２００、３００を有するダブルスタック式加熱器である。このことは幾つかの理由で好都合である。第１に、加熱要素１２０、２２０、３２０が本体２２を通る断面の大部分を覆うので、流体流路３８を通って流れる流体を一様に加熱することができる（例えば、図２参照）。第２に、加熱要素１００、２００、３００は、別々に電力を供給して制御することができるので、ヘッド２４から様々な温度の流体を流出させることが可能になる。また、ダブルスタック式加熱器１０とすることで、シングルスタック式加熱器に比べて加熱器の長さを短くすることができ、さらにコンパクトな構成要素が可能になる。
【００４５】
電気器具による種々の温度及び流量を可能にするためにＰＣＢ４０を備える。ＰＣＢは、加熱器１０及びファンユニット２６の両方に電気接続し、両者に供給される電力を変えることができる。１つの実施例として、ユーザは、異なる電力及び加熱設定値を選択することができる。ＰＣＢ４０は、加熱層１００、２００、３００の各々への電力を独立して制御し、低温設定値では、１つの加熱層だけを使用する必要がある。さらに、最初に濡れた髪を急速に乾燥させるためにファンユニット２６の作動回転を変えることができ、次に整髪を可能にするために１つ又はそれ以上の加熱器又は電力を低減すること又は増加させることができる。
【００４６】
第１の層１００及び第２の層２００、３００の各々は、別々に組み立てること又は製造することができ、換言すると、ワイヤ要素は、別のプロセスで各層の周りに巻き付けた後に、第２の層つまり内側層を、第１の層つまり外側層の中に挿入する。第１の層１００及び第２の層２００、３００の各々は自立支持形であり、この組立体の形態を助けるようになっている。
【００４７】
もしくは、第１の層つまり内側層を製造し、その後、同じワイヤ要素を第２の層の周りに巻き付ける。これにより電気器具内の内部接続点が少なくなるが、２つの加熱層が単一の加熱要素として機能することになることを意味し、電気器具が作り出すことができる流体の温度範囲の自由度又は制御が低下する。
【００４８】
加熱器１０は、従来のヘアドライヤといった他の加熱ブロア、特にスペースが貴重な旅行用電気器具での使用に適している。
【００４９】
図８から図１１は、別の加熱器４００の種々の図を示す。本実施形態において、図１から図６に例示して説明した構成要素には同じ参照番号が付与されている。第１の加熱層１００は、図１から図６に示したものと似ているが、大きな直径を有する。また、第２の加熱層４０２は、環状であり円筒形又は管状支持体４１０を備える。複数のスペーサ４１２は、円筒形支持体４１０の周りに及びそこから半径方向外向きに延びる。スペーサ４１２は、加熱要素４２０が位置付けられる挿入凹部４１４を含む。
【００５０】
加熱要素４２０は、ジグザグ又は波状に成形された後に管体４１０の周りに巻付けられる。スペーサ４１２は、管体４１０の周りに巻き付けられた加熱要素４２０を支持し、挿入凹部４１４は、加熱要素４２０の個々のコイル４２２を互いに離れた状態のままにする。
【００５１】
管体４１０及びスペーサ４１２は、マイカ等の絶縁材で形成される。
【００５２】
図１２は、加熱器４００を組み込んだヘアドライヤ４５０を示す。ヘアドライヤ４５０は増幅式ヘアドライヤであり、処理された流れ、つまりファンユニット４５４の作用で電気器具に引き込まれ、随意的に加熱された流れは同伴流によって増幅又は増大される。
【００５３】
ヘアドライヤ４５０は、ハンドル４６０及び本体４７０を有する。入口４６２は、本体４７０からの遠位端においてハンドル４６０に設けられる。流体は、ファンユニット４５４の作用によって入口４６２に引き込まれ、ハンドル４６０に沿って入口４６２から本体４７０に向かって流体流路４５２内を流れる。ハンドル内の流体流路４５２は略円形であるが、本体内で環状になる。
【００５４】
本体４７０は管状であり、本体４７０の長さ方向に沿って入口端４７０ａから出口端４７０ｂに延びる内部ダクト４７２を有する。このダクト４７２は、該ダクト４７２内を第２の入口４９２から第２の出口４９４まで流れる同伴流体の流路４９０を規定する。本体４７０のダクト４７２及び外壁４７４は、ハンドル４６０から流体流路４５２の流体出口４５６に向かって本体を通る流体流路４５２を規定する。本体４７０内には加熱器４００が配置され、加熱器は、ダクト４７２に沿ってその周りに延び、流体流路４５２を流れる流体を直接加熱する。同伴流路４９０を通って流れる流体は、加熱器４００によって間接的に加熱することができる。
【００５５】
作動時、ファンユニット４５４は、入口４６２を通って流体を引き込み、流体は、流体流路４５２に沿って本体に至り、加熱器４００を通って流体出口４５６に至る。ヘアドライヤを通って流れ、流体出口４５６から流出するこの流体の作用により、流体が第２の入口４９２においてダクト４７２に取り込まれるか又は引き寄せられ、同伴流体流路４９０に沿って第２の出口４９４に向かって流れる。
【００５６】
本実施例において、処理された流れは、同伴流の周りに広がる環状リングとしてヘアドライヤから流出する。従って、ヘアドライヤは、両側が冷気で囲まれた加熱流体のリングを生成する。別の方法として、流体出口４５６が本体４７０内に配置され、加熱流体は流体が電気器具から流出する前に同伴流と混合する。
【００５７】
電力は、入口４６２でヘアドライヤ４５０に入るケーブル４６４からヘアドライヤに供給される。内部配線（図示せず）は加熱器４００及びファンユニット４５４に電力を供給して、ファンユニット４５４のインペラを駆動するモータを回転させるようになっている。
【００５８】
電気器具による種々の温度及び流量を可能にするためにＰＣＢ４７６を備える。ＰＣＢ４７６は、加熱器４００及びファンユニット４５４の両方に電気接続し、ユーザが両者に供給される電力を変えることができる。１つの実施例として、ユーザは、異なる電力及び温度設定値を選択することができる。ＰＣＢ４７６、加熱層１００、４００の各々への電力を独立して制御し、低温設定値では、１つの加熱層だけを使用する必要がある。さらに、ファンユニット４５４の回転速度は、電気器具を通る流れを変更するために変えることができる。
【００５９】
全ての実施形態において、第１の層１００及び第２の層２００、３００、４０２は、単一の連続ワイヤから、又は好ましい場合は２つの別のワイヤから作ることができる。各々の層は、同じ出力又は異なる出力をもつように設計することができ、例えば、一方の層は、他方の層の２倍の出力を備えることができる。異なる出力は、当業者には明らかな種々の方法で実現することができ、異なるゲージ又は異なる長さ、同じゲージで異なる長さ、又は異なるゲージで同じ長さのワイヤを使用することを含む。同じ出力をもつ各層は、同じゲージ及び同じ長さのワイヤを使用する必要はないが実際には、これは各層の体積の制約によって実行不可能な場合がある。
【符号の説明】
【００６０】
１００  第１の層
１１０  管体
１１２  スペーサ
１２０  加熱要素
１５０  外側管体
２００  第２の層
２６０  矩形部品
【図１】
2015020070.tif 000003
【図２】
2015020070.tif 000004
【図３】
2015020070.tif 000005
【図４】
2015020070.tif 000006
【図５】
2015020070.tif 000007
【図６】
2015020070.tif 000008
【図７】
2015020070.tif 000009
【図８】
2015020070.tif 000010
【図９】
2015020070.tif 000011
【図１０】
2015020070.tif 000012
【図１１】
2015020070.tif 000013
【図１２】
2015020070.tif 000014